(57)【要約】【課題】印字される送信画像の下部が途切れたり、送信画像を縮小することにより見易さが損なわれたりすることのないような送信画像付き送信証を印字する通信端末装置を提供すること。【解決手段】両面印字可能なプリンタ１５を備え、このプリンタ１５により、一面分の送信画像と、そのファクシミリ送信結果に関するヘッダ情報の画像とが印字される送信画像付き送信証を作成するファクシミリ装置において、次のような制御を行う。ヘッダ情報の画像を用紙の一方の面に印字するとともに、一枚目の送信画像を用紙の他方の面に印字する。【選択図】図３
2005184655.tif 000002
【特許請求の範囲】
【請求項１】
両面印字可能な印字手段を備え、該印字手段により、１面分の送信画像と、その送信に関する送信関連情報の画像とからなる送信画像付き送信証を印字する通信端末装置であって、
前記印字手段を制御して送信画像付き送信証を用紙に印字させる印字制御手段を備え、
該印字制御手段は、前記送信関連情報の画像を用紙の一方の面に印字するとともに、１面分の送信画像を用紙の他方の面に印字するように前記印字手段を制御することを特徴とする通信端末装置。
【請求項２】
前記送信関連情報の画像と１面分の送信画像とをそれぞれ、同一の用紙の異なる面に印字させるモードと、
該送信関連情報の画像と１面分の送信画像とを、同一の用紙の同一面に印字させるモードとを選択的に切り替える操作入力手段を備えることを特徴とする請求項１に記載の通信端末装置。
【請求項３】
前記印字制御手段の作動モードを切り替えて設定するモード設定手段を備え、
該モード設定手段は、
前記１面分の送信画像の非白部分サイズに基づき、該１面分の送信画像と前記送信関連情報の画像とが用紙の同一面に収まるか否かを判定し、
同一面に収まる場合には、送信関連情報の画像と１面分の送信画像とを、同一の用紙の同一面に印字するモードで、印字制御手段を作動させ、
同一面に収まらない場合には、送信関連情報の画像と１面分の送信画像とをそれぞれ、同一の用紙の異なる面に印字するモードで、印字制御手段を作動させることを特徴とする請求項１に記載の通信端末装置。
【発明の詳細な説明】
【技術分野】
【０００１】
本発明は、両面印字可能な印字手段を備え、該印字手段により、１面分の送信画像と、その送信に関する送信関連情報の画像とからなる送信画像付き送信証を印字する通信端末装置に関する。
【背景技術】
【０００２】
従来、ファクシミリ装置等の通信端末装置として、ファクシミリ送信等の送信結果の情報（ヘッダ情報）の画像を送信証として、印字手段により用紙に印字するものが知られている。この送信証に印字されるヘッダ情報の画像には、例えば、相手先名、モード、送信日時、送信時間、送信枚数、送信結果、備考等がある。そして、このような送信証には、ヘッダ情報の画像とともに１面分の送信画像（例えば、１枚目の送信画像）を印字する送信画像付きの送信証がある。送信画像付き送信証は、用紙におけるヘッダ情報の画像の印字部分の下方の部分に形成される余白の部分に、１枚目の送信画像を印字するような構成となっていた。
【０００３】
しかし、送信画像付き送信証は、ヘッダ情報の画像と１枚目の送信画像とが同一の用紙の同一の面に印字される構成となっていたため、１枚目の送信画像の下部が途切れてしまう場合があり、この途切れた部分に重要な情報がある場合には不都合が起こることがあった。
また、１枚目の送信画像を縮小することにより、用紙におけるヘッダ情報の画像の印字部分の下方に全送信画像を収めることも考えられるが、この場合には、送信画像の内容が見難くなるという問題点がある。
【０００４】
特許文献１には、リスト用管理メモリに記憶されているユーザ登録情報や通信記録情報等を、例えば高齢者にとっても読み易いように印字可能な、また、用紙の無駄を抑制するように印字可能な通信端末装置が示されている。具体的には、ファクシミリ装置等の通信通信端末装置を、リスト用管理メモリに記憶されているユーザ登録情報や通信記録情報等を画像化して、画像メモリに記憶し、画像化結果を拡大／縮小し、この拡大／縮小結果に応じた用紙を用紙カセットから選択してプリンタから印字するように構成している。
【０００５】
【特許文献１】特開２００１−２５７８７５号公報
【発明の開示】
【発明が解決しようとする課題】
【０００６】
そこで、本発明では、印字される送信画像の下部が途切れたり、送信画像を縮小することにより見易さが損なわれたりすることのないような送信画像付き送信証を印字する通信端末装置を提供することを課題とする。
【課題を解決するための手段】
【０００７】
本発明の解決しようとする課題は以上の如くであり、次にこの課題を解決するための手段を説明する。
すなわち、請求項１においては、両面印字可能な印字手段を備え、該印字手段により、１面分の送信画像と、その送信に関する送信関連情報の画像とからなる送信画像付き送信証を印字する通信端末装置であって、前記印字手段を制御して送信画像付き送信証を用紙に印字させる印字制御手段を備え、該印字制御手段は、前記送信関連情報の画像を用紙の一方の面に印字するとともに、１面分の送信画像を用紙の他方の面に印字するように前記印字手段を制御するものである。
【０００８】
請求項２においては、前記送信関連情報の画像と１面分の送信画像とをそれぞれ、同一の用紙の異なる面に印字させるモードと、該送信関連情報の画像と１面分の送信画像とを、同一の用紙の同一面に印字させるモードとを選択的に切り替える操作入力手段を備えるものである。
【０００９】
請求項３においては、前記印字制御手段の作動モードを切り替えて設定するモード設定手段を備え、該モード設定手段は、前記１面分の送信画像の非白部分サイズに基づき、該１面分の送信画像と前記送信関連情報の画像とが用紙の同一面に収まるか否かを判定し、同一面に収まる場合には、送信関連情報の画像と１面分の送信画像とを、同一の用紙の同一面に印字するモードで、印字制御手段を作動させ、同一面に収まらない場合には、送信関連情報の画像と１面分の送信画像とをそれぞれ、同一の用紙の異なる面に印字するモードで、印字制御手段を作動させるものである。
【発明の効果】
【００１０】
本発明の効果として、以下に示すような効果を奏する。
すなわち、請求項１に示すような通信端末装置によれば、送信関連情報の画像が用紙の一方の面に印字されるとともに、１面分の送信画像が用紙の他方の面に印字されることにより、１枚の用紙で送信画像付き送信証を作成でき、用紙の無駄を防止できる。また、１面分の送信画像の下部が途切れたりすることを防止でき、途切れた部分に重要な画像がある場合であっても不都合を生じるようなことがなくなる。そして、印字される送信画像の見易さが損なわれることもなくなる。
【００１１】
請求項２に示すような通信端末装置によれば、ユーザが所望の送信画像付き送信証の印字モードを選択できる。
【００１２】
請求項３に示すような通信端末装置によれば、１面分の送信画像の非白部分のサイズに基づいて、送信画像付き送信証を自動的に設定されたモードで印字することにより、１面分の送信画像が途切れない場合には、１面分の送信画像と送信関連情報の画像とを用紙の同一の面に印字するので、異なる面に印字する場合に比べて印字時間を短縮できる。また、途切れる場合には、異なる面に印字するので、１面分の送信画像の内容の全部を知ることができ、１面分の送信画像の下部に重要な画像がある場合であっても不都合を生じるようなことがなくなる。
【発明を実施するための最良の形態】
【００１３】
次に、発明を実施するための最良の形態を添付の図面を用いて説明する。
図１は本発明の通信端末装置を適用するファクシミリ装置の制御構成の第１実施例を示す図、図２はヘッダ情報の画像と１枚目の送信画像とを同一の用紙の異なる面に印字した送信画像付き送信証を示す図、図３はヘッダ情報の画像と１枚目の送信画像とを同一の用紙の異なる面に印字する場合のファクシミリ装置の制御の手順を示す図、図４はヘッダ情報の画像と１枚目の送信画像とを同一の用紙の同一の面に印字した送信画像付き送信証を示す図、図５は本発明の通信端末装置を適用するファクシミリ装置の制御構成の第２実施例を示す図、図６はヘッダ情報の画像と１枚目の送信画像とを同一の用紙の異なる面に印字するモードと、同一の用紙の同一の面に印字するモードとを有する場合のファクシミリ装置の制御の手順を示す図、図７は本発明の通信端末装置を適用するファクシミリ装置の制御構成の第３実施例を示す図、図８はヘッダ情報の画像と１枚目の送信画像とを同一の用紙の異なる面に印字するモードと、同一の用紙の同一の面に印字するモードとを有し、どちらかのモードを自動的に設定可能とした場合のファクシミリ装置の制御の手順を示す図である。
【００１４】
まず、本発明の通信端末装置を適用するファクシミリ装置の概略構成について、図１を用いて説明する。ファクシミリ装置には、制御手段であるＭＰＵ（Ｍｉｃｒｏ  Ｐｒｏｃｅｓｓｉｎｇ  Ｕｎｉｔ）１１、ＲＯＭ１２、ＲＡＭ１３、スキャナ１４、プリンタ１５、画像メモリ１６、コーデック（符号化・復号化器）１７、モデム１８、ＮＣＵ（ネットワーク制御部）１９、表示部２０、操作部２１、管理用メモリ３０が備えられ、前記の各部がバス１０を介して、通信可能に接続されている。
【００１５】
ＭＰＵ１１は、操作部２１への入力操作等に基づいて、ファクシミリ装置の各部を制御する制御手段である。ＲＯＭ１２には、ファクシミリ装置を制御する制御プログラム等が記憶されている。ＲＡＭ１３には、ファクシミリ装置の制御状態等の各種情報が一時的に記憶される。
【００１６】
画像読取部であるスキャナ１４は、写真、文書、図面等の原稿を光学的に走査（スキャン）して、その反射光や透過光の強度を計測し、これをＡＤ変換（アナログ−デジタル変換）して、イメージデータである原稿画像を出力する。画像メモリ１６には、ファクシミリ送信の際にスキャナ１４で読み取られた原稿画像（送信画像）や、モデム１８を介して受信した受信画像等のイメージデータが一時的に記憶される。
【００１７】
表示部２０は、ＬＣＤ（液晶ディスプレイ）で構成され、ファクシミリ装置の動作状態等の各種情報（文字メッセージ）を表示したり、ファクシミリ装置を利用する際の操作手順を表示したりするのに使用される。
【００１８】
コーデック１７は、一方では符号化器として機能し、スキャナ１４で読み取られた原稿画像を、バス１０を介して送信するために、例えば、ＭＨ、ＭＲ、ＭＭＲ方式により符号化（エンコード）する。また、他方では復号化器として機能し、符号化されているイメージデータを、復号化（デコード）する。モデム１８は、ＩＴＵ（国際電気通信連合）勧告に従ったファクシミリ伝送制御手順に基づいて、送信データの変調および受信データの復調を行う。ＮＣＵ（ネットワーク制御部）１９は、通信回線（電話回線）との接続制御を行い、また、相手先の電話番号（ファクシミリ番号）に対応したダイヤル信号の送出および着信を検出する。
【００１９】
操作部２１には、ファクシミリ装置を操作するための入力手段として、送信先電話番号を入力するためのテンキーや、ファクシミリ送信先電話番号が登録されるワンタッチダイヤルキー、ファクシミリ送信等を開始させるスタートキー、ファクシミリ装置の各種メニューを表示部２０に表示させるためのメニューキー等、各種操作キーが設けられている。これらの操作キーの入力操作はＭＰＵ１１に伝えられ、この入力操作に基づいてファクシミリ装置の制御が行われる。また、操作部２１には、送信証を印字（作成）するか否かを設定するための送信証ＯＮ／ＯＦＦキー２２が配置されている。なお、送信証の作成の有無は、送信証ＯＮ／ＯＦＦキー２２のような専用のキーに限定されるものではなく、各種操作キーの入力操作の組合せにより、送信証を作成するか否かの設定を可能としてもよい。
【００２０】
画像記録部であるプリンタ１５は、電子写真方式で構成され、スキャナ１４で出力された原稿画像や、モデム１８を介して受信した受信画像を用紙に記録（印字）する。また、プリンタ１５は両面印字可能となっている。具体的には、用紙の一方の面への印字を行った後に、用紙のスイッチバック反転を行って、用紙の他方の面への印字を行うようにしている。
【００２１】
プリンタ１５は、送信画像付き送信証を用紙に印字する印字手段であり、管理用メモリ３０に蓄積されているヘッダ情報を、画像メモリ１６に蓄積されている１枚目の送信画像とともに、用紙に印字する。ヘッダ情報の具体的内容については後述する。この場合、プリンタ１５は、１枚目の送信画像を等倍で用紙に印字する機能に加え、拡大／縮小して用紙に印字する機能をも有している。なお、ファクシミリ送信の際、相手先（受信側）のファクシミリ装置の能力に応じて、読取画像を縮小してから送信する場合があるが、このような場合であっても、送信画像付き送信証を作成するときには、縮小する前の読取原稿サイズに対して等倍の印字、または拡大／縮小による印字がなされる。
【００２２】
管理用メモリ３０は、ファクシミリ装置のファクシミリ送信結果の情報であるヘッダ情報の蓄積手段である。管理用メモリ３０には、ヘッダ情報の他にも、ファクシミリ装置の管理情報である送信管理リスト、受信管理リスト、ワンタッチダイヤル登録リスト、短縮ダイヤル登録リスト等が蓄積される。
【００２３】
管理用メモリ３０に蓄積されているヘッダ情報は、ヘッダ情報の画像としてプリンタ１５により用紙に印字可能となっている。このヘッダ情報の画像が印字された用紙が送信証である。そして、送信証を印字（作成）するか否かは、操作部２１の送信証ＯＮ／ＯＦＦキー２２の入力操作により予め設定しておくことができる。そして、送信証を作成するように設定されている場合には、ファクシミリ送信を行うたびに、ファクシミリ送信終了後、送信証が作成される。また、ファクシミリ装置が、複数の給紙カセットを備え、異なるサイズの用紙を給紙可能な構成となっている場合には、送信証を作成する用紙サイズを固定サイズ（例えば、Ａ４やＢ５）として、操作部２１の入力操作により予め設定しておくことも可能である。
【００２４】
本実施例では、送信証を、送信画像付きの送信証として用紙に印字するようにしている。送信画像付き送信証は、ヘッダ情報の画像に加えて、画像メモリ１６に蓄積されている送信画像のうち１枚目の送信画像を印字した構成となっている。なお、送信画像付き送信証に添付する用紙の１面分の送信画像としては、１枚目の送信画像に限定されるものではない。送信画像が複数枚に及ぶ場合は、設定により他の送信画像を添付したり、複数枚の送信画像をまとめて添付したりすることも可能である。
【００２５】
図２に示すように、送信画像付き送信証の片面（第１面）には、「相手先名」と示される送信先の表示、「モード」と示される送信した画質、「開始日時」と示される送信を開始した日時、「時間」と示される送信に要した時間、「枚数」と示される送信枚数、「結果」と示される送信の結果、「備考」と示されるその他の情報が、ヘッダ情報の画像として用紙の上部に印字されている。そして、これらの「相手先名」、「モード」、「開始日時」、「時間」、「枚数」、「結果」、「備考」の項目がヘッダ情報として管理用メモリ３０に蓄積されている。
【００２６】
次に、ファクシミリ装置において、送信画像付き送信証を作成する場合の制御について説明する。
以下では、送信画像付き送信証を作成する場合の３つの実施例について説明する。まず、第１実施例では、ヘッダ情報の画像と１枚目の送信画像とを同一の用紙の異なる面に印字するファクシミリ装置について説明する。次に、第２実施例では、ヘッダ情報の画像と１枚目の送信画像とを、同一の用紙の異なる面に印字するモードと、同一の用紙の同一の面に印字するモードとを有するファクシミリ装置について説明する。さらに、第３実施例では、ヘッダ情報の画像と１枚目の送信画像とを、同一の用紙の異なる面に印字するモードと、同一の用紙の同一の面に印字するモードとを有し、どちらかのモードを自動的に設定可能としたファクシミリ装置について説明する。
【００２７】
なお、「送信証印字用紙サイズ」とは、送信画像付き送信証を印字するための用紙のサイズを意味する。この送信証印字用紙サイズを、固定サイズとして予め設定しておくことができる。「固定サイズ」とは、例えば、Ａ４やＢ５のような定型サイズを意味する。「読取原稿サイズ」とは、ファクシミリ送信の際にスキャナ１４で読み取られた原稿画像のサイズを意味する。
【００２８】
また、「印字すべき送信画像」とは、次のことを意味する。原稿はスキャナ１４によりその全面が読み取られるため、原稿の白紙部分も画像情報として読み込まれる。したがって、通常、原稿画像は、白紙部分に対応して実質的な情報のない白画像部分と、非白紙部分に対応してなんらかの情報が含まれる非白画像部分とを備えている。つまり、「印字すべき送信画像」とは、原稿画像より、少なくとも一部の白画像部分を除いた画像部分を意味している。より詳しくは、スキャナ１４による副走査方向の上下で、白画像部分となる部分を原稿画像より除いた画像部分を、「印字すべき送信画像」としている。原稿画像は、スキャナ１４により主走査方向のライン毎に副走査方向に沿って読み取られるようにしている。したがって、各ラインが全白ライン（１ラインのデータ中、白紙部分相当のデータしかないもの）であるか否かの判定により、副走査方向の上下で、非白画像部分となる部分を特定することは、スキャナ１４の機能を利用して可能である。
そして、「１枚目の送信画像における印字すべき送信画像のサイズ」とは、１枚目の送信画像において、スキャナ１４による副走査方向の上下で、白画像部分となる部分を原稿画像より除いた画像部分のサイズ、つまり、非白部分のサイズを意味する。
【００２９】
まず、第１実施例のヘッダ情報の画像と１枚目の送信画像とを同一の用紙の異なる面に印字する場合のファクシミリ装置の制御について、図３のフローチャートを参照しながら説明する。なお、ヘッダ情報の画像と１枚目の送信画像とは同一の用紙の異なる面に印字されていればよく、どちらが表面でどちらが裏面であってもよい。
そして、第１実施例のファクシミリ装置の制御において、ＭＰＵ１１は、送信画像付き送信証を用紙に印字するための印字制御手段として機能し、このＭＰＵ１１の印字処理は、ＭＰＵ１１がＲＯＭ１２に記憶されている印字制御用プログラム１２ａを読み出してＲＡＭ１３で展開することにより実行される。
【００３０】
ファクシミリ装置において、ファクシミリ送信が終了すると（ステップＳ１１）、ＭＰＵ１１は、送信画像付き送信証を作成するように設定されているか否かを判定する（ステップＳ１２）。この判定の結果、送信画像付き送信証を作成する設定となっていない場合には、送信画像付き送信証を作成せずにそのまま制御を終了する。
【００３１】
一方、ステップＳ１２の判定の結果、送信画像付き送信証を作成する設定となっている場合には、ＭＰＵ１１は、送信証印字用紙サイズが固定サイズとして設定されているか否かを判定する（ステップＳ１３）。この判定の結果、送信証印字用紙サイズが固定サイズとして設定されている場合には、次に、ＭＰＵ１１は、その設定されている固定サイズと、読取原稿サイズとが一致するか否かを判定する（ステップＳ１４）。
【００３２】
この判定の結果、送信証印字用紙サイズとして設定されている固定サイズと読取原稿サイズとが一致する場合には、その固定サイズの用紙を給紙して、その用紙の一方の面にヘッダ情報の画像をプリンタ１５により印字するとともに、他方の面に１枚目の送信画像をプリンタ１５により等倍（１００％）で印字する（ステップＳ１５）。
【００３３】
一方、ステップＳ１４において、送信証印字用紙サイズとして設定されている固定サイズと読取原稿サイズとが一致しない場合には、その固定サイズの用紙を給紙して、その用紙の一方の面にヘッダ情報の画像をプリンタ１５により印字するとともに、他方の面に１枚目の送信画像をプリンタ１５により変倍して印字する（ステップＳ１６）。この場合、給紙される用紙のサイズ（固定サイズ）に一致するように、１枚目の送信画像を適当な倍率で拡大／縮小する。
【００３４】
ステップＳ１３の判定において、送信証印字用紙サイズが固定サイズとして設定されていない場合には、ＭＰＵ１１は、読取原稿サイズと等しいサイズの用紙を給紙可能か否かを判定する（ステップＳ１７）。
【００３５】
この判定の結果、読取原稿サイズと一致するサイズの用紙を給紙できる場合には、そのサイズの用紙を給紙して、その用紙の一方の面にヘッダ情報の画像をプリンタ１５により印字するとともに、他方の面に１枚目の送信画像をプリンタ１５により等倍（１００％）で印字する（ステップＳ１８）。
【００３６】
一方、ステップＳ１７において、読取原稿サイズと等しいサイズの用紙を給紙できない場合には、給紙可能な他のサイズの用紙を給紙して、その用紙の一方の面にヘッダ情報の画像をプリンタ１５により印字するとともに、他方の面に１枚目の送信画像をプリンタ１５により変倍して印字する（ステップＳ１９）。この場合、給紙される用紙のサイズが複数あるときには、読取原稿サイズに最も近いサイズの用紙を給紙するようにする。また、給紙される用紙のサイズに一致するように、１枚目の送信画像を適当な倍率で拡大／縮小する。
【００３７】
以上のように、第１実施例では、ファクシミリ装置において、ヘッダ情報の画像を用紙の一方の面に印字するとともに、１枚目の送信画像を用紙の他方の面に印字するように制御している。これにより、１枚の用紙で送信画像付き送信証を作成でき、用紙の無駄を防止できる。また、１枚目の送信画像の下部が途切れたりすることを防止でき、１枚目の送信画像の下部（途切れた部分）に重要な画像がある場合であっても不都合を生じるようなことがなくなる。しかも、給紙される用紙のサイズに一致するように、１枚目の送信画像を適当な倍率で拡大／縮小することにより、送信画像の見易さが損なわれることがなくなる。
【００３８】
次に、第２実施例のヘッダ情報の画像と１枚目の送信画像とを、同一の用紙の異なる面に印字するモードと、同一の用紙の同一の面に印字するモードとを有する場合のファクシミリ装置の制御について、図６のフローチャートを参照しながら説明する。
なお、この第２実施例の場合には、送信証印字用紙サイズが固定サイズとして予め設定されているものとする。また、送信証印字用紙サイズとして予め設定されている固定サイズと、読取原稿サイズとが一致しているものとする。ただし、送信証印字用紙サイズを固定サイズとして設定せず、第１実施例の場合と同様に、送信証印字用紙サイズが固定サイズとして設定されているか否かを判定するようにしてもよい。また、第１実施例の場合と同様に、送信証印字用紙サイズとして予め設定されている固定サイズと、読取原稿サイズとのサイズとが一致するかを判定して、給紙される用紙のサイズ（固定サイズ）と一致するように、１枚目の送信画像を適当な倍率で変倍して印字するようにしてもよい。
【００３９】
この第２実施例では、プリンタ１５により送信画像付き送信証を用紙に印字するモードには、次の２つのモードがある。図２に示すような送信画像付き送信証を印字するモード、つまり、ヘッダ情報の画像と１枚目の送信画像とを同一の用紙の異なる面に印字するモードと、図４に示すような送信画像付き送信証を印字するモード、つまり、ヘッダ情報の画像と１枚目の送信画像とを同一の用紙の同一の面に印字するモードの２つである。そして、この両モードは、ユーザの操作により設定することとなっており、ユーザが操作部２１の操作入力手段の入力操作により選択的に切り替えて設定する。このように、ユーザが所望の印字モードを選択できる。なお、図４に示すように、送信画像付き送信証が用紙の片面のみに印字される場合には、用紙の上部にヘッダ情報の画像が印字され、ヘッダ情報の画像の印字部分の下方に形成される余白部分に１枚目の送信画像が印字される。
【００４０】
第２実施例のファクシミリ装置は、図５に示すように、図１に示すような第１実施例の構成に加えて、操作部２１に、送信画像付き送信証を印字するモードを設定する操作入力手段としての印字モード設定キー２３が設けられた構成となっている。また、第２実施例のファクシミリ装置の制御において、ＭＰＵ１１は、送信画像付き送信証を用紙に印字するための印字制御手段として機能し、このＭＰＵ１１の印字処理は、ＭＰＵ１１がＲＯＭ１２に記憶されている印字制御用プログラム１２ｂを読み出してＲＡＭ１３で展開することにより実行される。
【００４１】
ファクシミリ装置において、ファクシミリ送信が終了すると（ステップＳ３１）、ＭＰＵ１１は、送信画像付き送信証を作成するように設定されているか否かを判定する（ステップＳ３２）。この判定の結果、送信画像付き送信証を作成する設定となっていない場合には、送信画像付き送信証を作成せずにそのまま制御を終了する。
【００４２】
一方、ステップＳ３２の判定の結果、送信画像付き送信証を作成する設定となっている場合には、ＭＰＵ１１は、ヘッダ情報の画像と１枚目の送信画像とを、同一の用紙の異なる面に印字するモードに設定されているか、同一の用紙の同一の面に印字するモードに設定されているかを判定する（ステップＳ３３）。つまり、送信画像付き送信証を用紙の両面に印字するモードに設定されているか、用紙の片面のみに印字するモードに設定されているかが判定される。
【００４３】
この判定の結果、送信画像付き送信証を用紙の両面に印字するモードに設定されている場合には、予め送信証印字用紙サイズとして設定されている固定サイズの用紙を給紙して、その用紙の一方の面にヘッダ情報の画像をプリンタ１５により印字するとともに、他方の面に１枚目の送信画像をプリンタ１５により印字する（ステップＳ３４）。この場合、前述したように、予め送信証印字用紙サイズとして設定されている固定サイズと、読取原稿サイズとが一致するものとしているため、１枚目の送信画像は等倍（１００％）で印字される。なお、この場合、ヘッダ情報の画像と１枚目の送信画像とは用紙の異なる面に印字されていればよく、どちらが表面でどちらが裏面であってもよい。
【００４４】
一方、ステップＳ３３の判定において、送信画像付き送信証を用紙の片面のみに印字するモードに設定されている場合には、次のような制御を行う。
ＭＰＵ１１は、予め送信証印字用紙サイズとして設定されている固定サイズの用紙におけるヘッダ情報の画像の印字部分の下方の部分（図４参照）のサイズ、つまり、固定サイズの用紙における１枚目の送信画像が印字可能な部分のサイズを検出するとともに、１枚目の送信画像における印字すべき送信画像のサイズ（等倍サイズ）を検出する。具体的には、固定サイズの用紙におけるヘッダ情報の画像の印字部分の下方の部分のライン数（固定サイズの用紙における１枚目の送信画像が印字可能な部分のライン数）と、１枚目の送信画像における印字すべき送信画像のライン数とを検出する（ステップＳ３５）。このとき、検出される１枚目の送信画像における印字すべき送信画像のライン数は、１枚目の送信画像の上部もしくは下部に余白の部分がある場合には、その余白の部分のサイズの分だけ小さくなる。なお、送信証印字用紙サイズを固定サイズとしており、固定サイズのライン数は予め定まっているため、ヘッダ情報の画像の印字部分のライン数を検出することにより、ヘッダ情報の画像の印字部分の下方の部分のライン数を検出するようにしてもよい。
【００４５】
このように、ＭＰＵ１１は、固定サイズの用紙におけるヘッダ情報の画像の印字部分の下方の部分、および、１枚目の送信画像における印字すべき送信画像のサイズを検出するためのサイズ検出手段として機能している。このようなＭＰＵ１１のサイズ検出処理は、ＭＰＵ１１がＲＯＭ１２に記憶されているサイズ検出用プログラム１２ｃを読み出してＲＡＭ１３で展開することにより実行される。
【００４６】
次に、ＭＰＵ１１は、検出された固定サイズの用紙におけるヘッダ情報の画像の印字部分の下方の部分のライン数と、検出された１枚目の送信画像における印字すべき送信画像のライン数とを比較する。この比較の結果、ヘッダ情報の画像の印字部分の下方の部分のライン数と、印字すべき送信画像のライン数とが一致するか否かを判定する。この比較の結果、ヘッダ情報の画像の印字部分の下方の部分のライン数が、印字すべき送信画像のライン数よりも小さいか否かを判定する（ステップＳ３６）。
【００４７】
この結果、ヘッダ情報の画像の印字部分の下方の部分のライン数の方が小さくない場合には、固定サイズの用紙を給紙して、その用紙の一方の面にヘッダ情報の画像をプリンタ１５により印字するとともに、その同一の面のヘッダ情報の画像が印字された部分の下方に１枚目の送信画像をプリンタ１５により等倍（１００％）で印字する（ステップＳ３７）。この場合、ヘッダ情報の画像の印字部分の下方には、１枚目の送信画像のうち、印字すべき送信画像だけが印字される。つまり、１枚目の送信画像の上部と下部に余白の部分がある場合には、その余白部分を除いた画像が印字される。
【００４８】
一方、ステップＳ３８において、ヘッダ情報の画像の印字部分の下方の部分のライン数の方が小さい場合には、固定サイズの用紙を給紙して、その用紙の一方の面にヘッダ情報の画像をプリンタ１５により印字するとともに、その同一の面のヘッダ情報の画像が印字された部分の下方に１枚目の送信画像をプリンタ１５により印字する（ステップＳ３８）。この場合、ヘッダ情報の画像の印字部分の下方の部分に、印字すべき送信画像が収まらないので、収まるように１枚目の送信画像を適当な倍率で縮小して印字する。このとき、ヘッダ情報の画像の印字部分の下方には、１枚目の送信画像のうち、印字すべき送信画像だけが印字される。つまり、１枚目の送信画像の上部と下部に余白の部分がある場合には、その余白部分を除いた画像が印字される。
【００４９】
以上のように、第２実施例では、ファクシミリ装置において、送信画像付き送信証をユーザにより予め設定されたモード（両面モード／片面モード）で印字するように制御して、１枚の用紙の両面、または片面のみに送信画像付き送信証を印字するようにしている。これにより、１枚の用紙で送信画像付き送信証を作成でき、用紙の無駄を防止できる。また、１枚目の送信画像の下部が途切れたりすることを防止でき、１枚目の送信画像の下部（途切れた部分）に重要な画像がある場合であっても不都合を生じるようなことがなくなる。
【００５０】
次に、第３実施例のヘッダ情報の画像と１枚目の送信画像とを、同一の用紙の異なる面に印字するモードと、同一の用紙の同一の面に印字するモードとを有し、どちらかのモードを自動的に設定可能とした場合のファクシミリ装置の制御について、図８のフローチャートを参照しながら説明する。
なお、この第３実施例の場合には、前述した第２実施例の場合と同様に、送信証印字用紙サイズが固定サイズとして予め設定されているものとする。また、送信証印字用紙サイズとして予め設定されている固定サイズと、読取原稿サイズとが一致しているものとする。ただし、送信証印字用紙サイズを固定サイズとして設定せず、第１実施例の場合と同様に、送信証印字用紙サイズが固定サイズとして設定されているか否かを判定するようにしてもよい。また、第１実施例の場合と同様に、送信証印字用紙サイズとして予め設定されている固定サイズと、読取原稿サイズとのサイズとが一致するかを判定して、給紙される用紙のサイズ（固定サイズ）と一致するように、１枚目の送信画像を適当な倍率で変倍して印字するようにしてもよい。
【００５１】
この第３実施例では、プリンタ１５により送信画像付き送信証を用紙に印字するモードには、次の２つのモードがある。図２に示すような送信画像付き送信証を印字するモード、つまり、ヘッダ情報の画像と１枚目の送信画像とを同一の用紙の異なる面に印字するモードと、図４に示すような送信画像付き送信証を印字するモード、つまり、ヘッダ情報の画像と１枚目の送信画像とを同一の用紙の同一の面に印字するモードの２つである。そして、第３実施例では、前述した第２実施例の場合とは異なり、ユーザによる操作によらないで、モード設定手段により自動的に切り替えて設定することとしている。なお、図４に示すように、送信画像付き送信証が用紙の片面のみに印字される場合には、用紙の上部にヘッダ情報の画像が印字され、ヘッダ情報の画像の印字部分の下方に形成される余白部分に１枚目の送信画像が印字される。
【００５２】
第３実施例のファクシミリ装置は、図７に示すように、図１に示すような第１実施例の構成と略同様の構成となっており、図５に示すような送信画像付き送信証を印字するモードを設定するための印字モード設定キー２３は設けられていない。そして、第３実施例のファクシミリ装置の制御において、ＭＰＵ１１は、送信画像付き送信証を用紙に印字するための印字制御手段として機能し、このＭＰＵ１１の印字処理は、ＭＰＵ１１がＲＯＭ１２に記憶されている印字制御用プログラム１２ｄを読み出してＲＡＭ１３で展開することにより実行される。
また、ＭＰＵ１１は、印字制御手段として機能するＭＰＵ１１の作動モードを切り替えて設定するモード設定手段として機能する。モード設定手段としてのＭＰＵ１１は、具体的には後述するが、一枚目の送信画像の非白部分サイズに基づき、該一枚目の送信画像とヘッダ情報の画像とが用紙の同一面に収まるか否かを判定し、同一面に収まる場合にはヘッダ情報の画像と一枚目の送信画像とを、同一の用紙の同一面に印字するモードで印字制御手段を作動させ、同一面に収まらない場合にはヘッダ情報の画像と一枚目の送信画像とをそれぞれ、同一の用紙の異なる面に印字するモードで印字制御手段を作動させる。このようなＭＰＵ１１のモード設定処理は、ＭＰＵ１１がＲＯＭ１２に記憶されているモード設定用プログラム１２ｅを読み出してＲＡＭ１３で展開することにより実行される。
【００５３】
ファクシミリ装置において、ファクシミリ送信が終了すると（ステップＳ５１）、ＭＰＵ１１は、送信画像付き送信証を作成するように設定されているか否かを判定する（ステップＳ５２）。この判定の結果、送信画像付き送信証を作成する設定となっていない場合には、送信画像付き送信証を作成せずにそのまま制御を終了する。
【００５４】
一方、ステップＳ５２の判定の結果、送信画像付き送信証を作成する設定となっている場合には、ＭＰＵ１１は、送信画像付き送信証を、予め送信証印字用紙サイズとして設定されている固定サイズの用紙の片面のみに印字した場合に、つまり、ヘッダ情報の画像と１枚目の送信画像とを固定サイズの用紙の同一の面に印字した場合に、ヘッダ情報の画像と１枚目の送信画像における印字すべき送信画像とが、固定サイズの用紙の同一の面に収まるか否かを判定する。
【００５５】
この判定は、次のようにして行われる。ＭＰＵ１１は、予め送信証印字用紙サイズとして設定されている固定サイズの用紙におけるヘッダ情報の画像が印字される部分の下方の部分（図４参照）のサイズ、つまり、固定サイズの用紙における１枚目の送信画像が印字可能な部分のサイズを検出するとともに、１枚目の送信画像における印字すべき送信画像のサイズ（等倍サイズ）を検出する。具体的には、固定サイズの用紙におけるヘッダ情報の画像の印字部分の下方の部分のライン数（固定サイズの用紙における１枚目の送信画像が印字可能な部分のライン数）と、１枚目の送信画像における印字すべき送信画像のライン数とを検出する（ステップＳ５３）。このとき、検出される１枚目の送信画像における印字すべき送信画像のライン数は、１枚目の送信画像の上部もしくは下部に余白の部分がある場合には、その余白の部分のサイズの分だけ小さくなる。なお、送信証印字用紙サイズを固定サイズとしており、固定サイズのライン数は予め定まっているため、ヘッダ情報の画像の印字部分のライン数を検出することにより、ヘッダ情報の画像の印字部分の下方の部分のライン数を検出するようにしてもよい。
【００５６】
そして、ＭＰＵ１１は、検出された固定サイズの用紙におけるヘッダ情報の画像の印字部分の下方の部分のライン数と、検出された１枚目の送信画像における印字すべき送信画像のライン数とを比較する。この比較の結果、ヘッダ情報の画像の印字部分の下方の部分のライン数が、印字すべき送信画像のライン数よりも大きいか否かを判定する（ステップＳ５４）。
【００５７】
この結果、ヘッダ情報の画像の印字部分の下方の部分のライン数の方が大きくない場合には、固定サイズの用紙における１枚目の送信画像が印字可能な部分のサイズが、１枚目の送信画像における印字すべき送信画像のサイズよりもが大きくないと判定され、また、ヘッダ情報の画像と１枚目の送信画像における印字すべき送信画像とが、固定サイズの用紙の同一の面に収まらないと判定される。この場合、ＭＰＵ１１は、送信画像付き送信証の印字モードを、ヘッダ情報の画像と１枚目の送信画像とを同一の用紙の異なる面に印字するモードに設定する（ステップＳ５５）。
【００５８】
そして、予め送信証印字用紙サイズとして設定されている固定サイズの用紙を給紙して、その用紙の一方の面にヘッダ情報の画像をプリンタ１５により印字するとともに、他方の面に１枚目の送信画像をプリンタ１５により印字する（ステップＳ５６）。この場合、前述したように、予め送信証印字用紙サイズとして設定されている固定サイズと、読取原稿サイズとが一致するものとしているため、１枚目の送信画像は等倍（１００％）で印字される。なお、この場合、ヘッダ情報の画像と１枚目の送信画像とは用紙の異なる面に印字されていればよく、どちらが表面でどちらが裏面であってもよい。
【００５９】
一方、ステップＳ５４において、ヘッダ情報の画像の印字部分の下方の部分のライン数の方が大きい場合には、固定サイズの用紙における１枚目の送信画像が印字可能な部分のサイズが、１枚目の送信画像における印字すべき送信画像のサイズよりも大きいと判定され、また、ヘッダ情報の画像と１枚目の送信画像における印字すべき送信画像とが、固定サイズの用紙の同一の面に収まると判定される。この場合、ＭＰＵ１１は、送信画像付き送信証の印字モードを、ヘッダ情報の画像と１枚目の送信画像とを同一の用紙の同一の面に印字するモードに設定する（ステップＳ５７）。
【００６０】
そして、予め送信証印字用紙サイズとして設定されている固定サイズの用紙を給紙して、その用紙の一方の面にヘッダ情報の画像をプリンタ１５により印字するとともに、その同一の面のヘッダ情報の画像が印字された部分の下方に１枚目の送信画像をプリンタ１５により印字する（ステップＳ５８）。この場合、前述したように、予め送信証印字用紙サイズとして設定されている固定サイズと、読取原稿サイズとが一致するものとしているため、１枚目の送信画像は等倍（１００％）で印字される。このとき、ヘッダ情報の画像の印字部分の下方には、１枚目の送信画像のうち、印字すべき送信画像だけが印字される。つまり、１枚目の送信画像の上部と下部に余白の部分がある場合には、その余白部分を除いた画像が印字される。
【００６１】
以上のように、第３実施例では、ファクシミリ装置において、送信画像付き送信証を自動的に設定されたモード（両面モード／片面モード）で印字するように制御して、１枚の用紙の両面、または片面のみに送信画像付き送信証を印字するようにして、用紙の無駄を防止している。これにより、１枚目の送信画像が途切れない場合には、１枚目の送信画像とヘッダ情報の画像とを用紙の同一の面に印字するので、異なる面に印字する場合に比べて印字時間を短縮できる。また、途切れる場合には、異なる面に印字するので、送信画像の内容の全部を知ることができ、１枚目の送信画像の下部に重要な画像がある場合であっても不都合を生じるようなことがなくなる。
【図面の簡単な説明】
【００６２】
【図１】本発明の通信端末装置を適用するファクシミリ装置の制御構成の第１実施例を示す図。
【図２】ヘッダ情報の画像と１枚目の送信画像とを同一の用紙の異なる面に印字した送信画像付き送信証を示す図。
【図３】ヘッダ情報の画像と１枚目の送信画像とを同一の用紙の異なる面に印字する場合のファクシミリ装置の制御の手順を示す図。
【図４】ヘッダ情報の画像と１枚目の送信画像とを同一の用紙の同一の面に印字した送信画像付き送信証を示す図。
【図５】本発明の通信端末装置を適用するファクシミリ装置の制御構成の第２実施例を示す図。
【図６】ヘッダ情報の画像と１枚目の送信画像とを同一の用紙の異なる面に印字するモードと、同一の用紙の同一の面に印字するモードとを有する場合のファクシミリ装置の制御の手順を示す図。
【図７】本発明の通信端末装置を適用するファクシミリ装置の制御構成の第３実施例を示す図。
【図８】ヘッダ情報の画像と１枚目の送信画像とを同一の用紙の異なる面に印字するモードと、同一の用紙の同一の面に印字するモードとを有し、どちらかのモードを自動的に設定可能とした場合のファクシミリ装置の制御の手順を示す図。
【符号の説明】
【００６３】
１１  ＭＰＵ
１２  ＲＯＭ
１３  ＲＡＭ
１５  プリンタ
１８  モデム
１９  ＮＣＵ
【図１】
2005184655.tif 000003
【図２】
2005184655.tif 000004
【図３】
2005184655.tif 000005
【図４】
2005184655.tif 000006
【図５】
2005184655.tif 000007
【図６】
2005184655.tif 000008
【図７】
2005184655.tif 000009
【図８】
2005184655.tif 000010